(57)【要約】【課題】  伝動手段としてベベルギヤ機構或いはクラウンギヤ機構を採用して指詰防止機能を有する体裁のよい折戸用ヒンジユニットを提供すること。【解決手段】  折戸を構成する２枚の戸体を、その戸体の板面方向に直交する方向の側端面同士をその長手方向に沿って互いに突き合わせ、互いに相手の戸体に対して回動自在な状態で連結するヒンジユニットであって、ケーシング内に、上面乃至下面にベベルギヤ又はクラウンギヤを固着した左右一対の前記戸体に取り付けるためのロータをそれぞれ水平回転可能に嵌装し、それぞれの前記ベベルギヤ又はクラウンギヤの歯に噛合する歯を有するギヤを両端に固着した回転軸を、両端のギヤの歯がそれぞれのロータのベベルギヤ又はクラウンギヤの歯に噛合するように配設したことを特徴とする。【選択図】図４
2009257056.tif 000002
【特許請求の範囲】
【請求項１】
折戸を構成する２枚の戸体を、その戸体の板面方向に直交する方向の側端面同士をその長手方向に沿って互いに突き合わせ、互いに相手の戸体に対して回動自在な状態で連結するヒンジユニットであって、ケーシング内に、上面乃至下面にベベルギヤ又はクラウンギヤを固着した左右一対の前記戸体に取り付けるためのロータをそれぞれ水平回転可能に嵌装し、それぞれの前記ベベルギヤ又はクラウンギヤの歯に噛合する歯を有するギヤを両端に固着した回転軸を、両端のギヤの歯がそれぞれのロータのベベルギヤ又はクラウンギヤの歯に噛合するように配設したことを特徴とする折戸用ヒンジユニット。
【発明の詳細な説明】
【技術分野】
【０００１】  本発明は、折戸を構成する戸体同士間に介挿されてその折戸の開閉動作をスムーズに行なわせる指詰防止機能を有する体裁のよいヒンジユニットに関する。
【背景技術】
【０００２】
【特許文献１】  特許第２７２８６４２号公報
【特許文献２】  特開２００７−１０７３１３公報
【発明の開示】
【発明が解決しようとする課題】
【０００３】  従来から、折戸を構成する戸体同士間に介挿されてその折戸の開閉動作をスムーズに行なわせるヒンジユニットとして、特許第２７２８６４２号公報に記載されるものや、特開２００７−１０７３１３公報に記載されるものがあるが、前者の発明では平歯車同士の噛合による伝動方式を採用したものであり、後者の発明ではラックとピニオンの噛合による伝動方式を採用したものであった。【０００４】  この平歯車同士の噛合による伝動方式またはラックとピニオンの噛合による伝動方式を採用したヒンジユニットは、折戸を構成する戸体の上下端に取り付けて使用するもので、折戸の開閉動作には何等問題はないが、ヒンジユニットを構成する平歯車またはピニオンが露出しているので、体裁が悪いだけでなく、戸体の下端側に取り付けてあるヒンジユニットの平歯車またはピニオンのギヤに足指を挟んで怪我をしたり、埃が平歯車またはピニオンのギヤ間に溜まって頻繁に掃除しなければならないという問題点があった。
【発明の目的】
【０００５】  本発明は、伝動手段としてベベルギヤ機構或いはクラウンギヤ機構を採用して指詰防止機能を有する体裁のよい折戸用ヒンジユニットを提供することにある。
【課題を解決するための手段】
【０００６】  本発明に係る折戸用ヒンジユニットは、折戸を構成する２枚の戸体を、その戸体の板面方向に直交する方向の側端面同士をその長手方向に沿って互いに突き合わせ、互いに相手の戸体に対して回動自在な状態で連結するヒンジユニットであって、ケーシング内に、上面乃至下面にベベルギヤ又はクラウンギヤを固着した左右一対の前記戸体に取り付けるためのロータをそれぞれ水平回転可能に嵌装し、それぞれの前記ベベルギヤ又はクラウンギヤの歯に噛合する歯を有するギヤを両端に固着した回転軸を、両端のギヤの歯がそれぞれのロータのベベルギヤ又はクラウンギヤの歯に噛合するように配設したことを特徴とするものである。
【発明の作用】
【０００７】  本発明に係る折戸用ヒンジユニットでは、２枚の戸板への伝動手段としてベベルギヤ機構或いはクラウンギヤ機構を採用して戸板表面側にギヤ部が露出しないようにしてあるので、指詰事故が発生することがなく、埃が溜まるようなことがない。
【実施例１】
【０００８】  図１は、本発明のヒンジユニットを取り付けた折戸の閉鎖状態の全体正面図、図２は、同平面図、図３は、本発明のヒンジユニットの構造を表わす縦断正面図、図４は、本発明のヒンジユニットの戸板への取り付け方法を表わす分解斜視図である。【０００９】  図において、１は、ヒンジユニットＵを構成する下部ケーシングで、後述する一対のロータの下端側を嵌装する２個の円形状の凹部１−１、１−１と同凹部１−１、１−１の間を繋ぐ直線状の溝１−２が形成されており、下端部には後述する支柱が嵌着される膨出部１−３、１−３が形成されており、それぞれの膨出部１−３の中央には前記ロータを枢支するための軸を挿通するための孔１−４が形成されている。【００１０】  ２は、前記下部ケーシング１と対をなしてロータの上下を挟んで一体化する上部ケーシングで、下部ケーシング１と同じく後述する一対のロータの上端側を嵌装する２個の円形状の凹部２−１、２−１と同凹部同志間を繋ぐ直線状の凹部２−２が形成されている。【００１１】  ３は、折戸を構成する戸体Ａの側端面に取り付けられるロータで、前記上部、下部ケーシング２、１の円形状の凹部に前記孔１−４を貫通する軸４に支持されて水平回転するように嵌合されるようになっており、周面の一部に取り付け時に位置決めのための突起が形成されている。【００１２】  ロータ３の上、下端面には、ベベルギヤ３−１、３−２が一体形成または一体固着され、一対のロータ３、３の対応するベベルギヤ３−１、３−１同志及びベベルギヤ３−２、３−２同志をそれぞれ連結するための連結機構５が直線状の凹部１−２内に収まるように設けられている。【００１３】  一対のロータ３、３の対応するベベルギヤ３−１、３−１同志及びベベルギヤ３−２、３−２同志を連結する連結機構５は、ベベルギヤ３−１の歯に噛合する歯を有するギヤ５−１を両端に固着した凹部１−１、１−１の間を繋ぐ回転軸５−２から構成されている。【００１４】  本実施例では、ロータ３の上、下端面に対称的にベベルギヤ３−１、３−２を設けたが、上、下のどちらか一方に設けても作動状態においては何等問題はなく、また、ベベルギヤに代えてクラウンギヤを使用しても作動状態は全く同一である。【００１５】  本発明のヒンジユニットは上記のような構成で、一方のロータ３を回転させると、このロータ３のベベルギヤ３−１に噛合する連結機構５の一方のギヤ５−１が回転し、回転軸５−２の回転により他方のギヤ５−１が回転してこのギヤに噛合する他方のロータ３のベベルギヤ３−１が回転し、他方のロータ３は逆方向に回転するものである。【００１６】  次に、本発明に係るヒンジユニットの具体的な取り付け方法について説明する。【００１７】  先ず、折戸を構成する２枚の戸板Ａのそれぞれの上端側の側端面にロータ３を取り付けるのであるが、戸板に直接取り付けるには側端面に円弧状の溝を形成する必要があるので、戸板側端面の保護を兼ねてロータ３の突起３ａが嵌合する溝を有するレール状のフレームＢと共に戸板側端面にネジ止めする。【００１８】  それぞれの戸板Ａにロータ３を取り付けた後、ギヤ５−１を両端に固着した連結機構の回転軸５−２を溝１−２に嵌合した下部ケーシング１の凹部１−１��１−１にロータ３、３を嵌合し、それぞれの膨出部１−３の中央にある孔１−４を通して軸４を挿通し、軸４の上端を予め連結機構の回転軸５−２を下部ケーシング１の場合と同じように装着しておいた上部ケーシング２の孔２−１に挿通してリテーナ等で止めるようにしてユニット化し、このヒンジユニットを介して２枚の戸板Ａの上端側を連結する。【００１９】  次いで、戸板Ａの下端部側においても上記したような作業でヒンジユニットを上下対称的に取り付けて２枚の戸板Ａを連結した後、上、下ヒンジユニットの膨出部１−３、１−３間に軟質の合成樹脂製の断面瓢箪型の支柱Ｃの上下端を嵌着して折戸が完成するものである。
をする。【００２０】  尚、本発明のヒンジユニットでは木製の戸板への取り付け作業を容易にするために実施例のようにロータ３に位置決め用の突起を設けたり、レール状のフレームＢを別途に設けたが、このヒンジユニットに適合するように製作した折戸では不要で、必須不可欠の要件ではない。
【発明の効果】
【００２１】    以上述べたように、本発明の折戸用ヒンジユニットによれば、ケーシング内に、上面乃至下面にベベルギヤ又はクラウンギヤを固着した左右一対の前記戸体に取り付けるためのロータをそれぞれ水平回転可能に嵌装し、それぞれの前記ベベルギヤ又はクラウンギヤの歯に噛合する歯を有するギヤを両端に固着した回転軸を、両端のギヤの歯がそれぞれのロータのベベルギヤ又はクラウンギヤの歯に噛合するように配設したもので、２枚の戸板への伝動手段としてベベルギヤ機構或いはクラウンギヤ機構を採用してギヤ部がケーシング内に隠れて戸板表面側に露出しないようにしてあるので、指詰事故が発生することがなく安全性の面においても優れ、長期に亘ってギヤ部等の可動部に埃が溜まるようなことがないので、メンテナンスの必要性がない面においても優れるだけでなく、ギヤ部が見えず体裁がよい等極めて実用的効果が高いものといえるものである。
【図面の簡単な説明】
【００２２】
【図１】  本発明のヒンジユニットを取り付けた折戸の閉鎖状態の全体正面図である。
【図２】  同平面図である。
【図３】  本発明のヒンジユニットの構造を表わす縦断正面図である。
【図４】  本発明のヒンジユニットの戸板への取り付け方法を表わす分解斜視図である。
【符号の説明】
【００２３】      Ｕ          ヒンジユニット
１          下部ケーシング
２          上部ケーシング
３          ロータ
４          枢軸
５          連結機構
【図１】
2009257056.tif 000003
【図２】
2009257056.tif 000004
【図３】
2009257056.tif 000005
【図４】
2009257056.tif 000006